(57)【要約】【課題】突起部を有する被測定面であっても、その突起部を回避して、被測定面の正確な傾斜角度を容易に測定することができる傾斜計を提供する。【解決手段】傾斜計１は、被測定面２３に設けられた突起部３０を回避可能な長さを有している複数の突設部１０，１１を備える。遊技釘３６が配された遊技盤２３の傾斜角を測定する場合には、遊技釘３６の無い部分２３ａと２３ｂを選択し、突設部１０と１１を遊技盤２３に当接させる。このとき、突設部１０と１１との間に遊技釘３６が配されていたとしても、釘を回避して突設部１０と１１を遊技盤２３に当接できるため、突設部１０と１１との間の遊技釘３６は障害とはならない。傾斜計の本体１ａの傾斜角は遊技盤２３の傾斜角と同じ傾斜角となり、本体の表示部２には遊技盤２３の傾斜角が表示される。【選択図】    図３
2006046969.tif 000002
【特許請求の範囲】
【請求項１】
突起部を有する被測定面の傾斜角を測定するための複数の突設部を備える傾斜計において、
該突設部は、前記突起部を回避可能な長さを有していることを特徴とする傾斜計。
【請求項２】
突設部の少なくとも１つが、被測定面と平行して対向する傾斜計本体の対向面上を移動可能に設けられていることを特徴とする請求項１に記載の傾斜計。
【請求項３】
傾斜計の底部には、傾斜計を支持可能な脚部が設けられていることを特徴とする請求項１または２に記載の傾斜計。
【請求項４】
傾斜計の上部には、傾斜計を支持可能な吊り下げ部が設けられていることを特徴とする請求項１乃至３のいずれかに記載の傾斜計。
【請求項５】
被測定面に当接する傾斜計の突設部には、被測定面に設けられた突起部を収容可能な凹部が設けられていることを特徴とする請求項１乃至４のいずれかに記載の傾斜計。
【請求項６】
被測定面が、弾球遊技機の遊技盤面であることを特徴とする請求項１乃至５のいずれかに記載の傾斜計。
【発明の詳細な説明】
【技術分野】
【０００１】
本発明は、傾斜計に関し、より詳述すれば、被測定面に設けられた部材を避けて被測定面の傾斜角度を計測可能な傾斜計に関する。
【背景技術】
【０００２】
従来、弾球遊技機例えばパチンコ遊技機を設置する時は、遊技機を鉛直線よりも僅かに後方に傾斜させて設置する。遊技機の傾斜角は、浅過ぎると遊技球が流下するときに遊技釘に絡み難くなるうえに、遊技球が入賞口に入り難くなるなどの問題が生じる。また、傾斜角が深過ぎても遊技球が遊技盤ベースに当たって跳ね回ることとなる。すなわち、傾斜角が浅くても深くても遊技球は暴れて、遊技球の安定した流下が望めないので、このような設置をした遊技機では正常な遊技が行えず、遊技者の興趣が削がれてしまう。
【０００３】
このように、遊技機で遊技を楽しむためには、遊技機の遊技盤面が適正な傾斜角に調整されていることは重要な課題である。しかし、遊技盤面には様々な遊技部材が設けられており、それらの遊技部材が突起部となって傾斜計を遊技盤面に当接することができない。
そこで、傾斜計を使用して遊技盤の傾斜角を計測する手段として、遊技機の外枠の内壁面に傾斜角度を測定し得る傾斜計を配設して、傾斜計の測定値を遊技盤を開いて確認する遊技機（特許文献１参照）が知られている。
【特許文献１】特開平０９−１５５０５５号公報
【発明の開示】
【発明が解決しようとする課題】
【０００４】
しかしながら、特許文献１のように、遊技機の外枠の内壁面に傾斜計を設けた場合には、外枠の傾斜角を計測しているので、外枠が歪んでいる場合には、遊技に実際に影響する遊技盤の傾斜角を正確に表示していない虞れがあった。さらに、外枠の内壁面に設置した傾斜計の表示を確認するためには、遊技盤を開く必要があり、その状態では、遊技盤の荷重によって外枠がさらに歪んでしまうので、遊技可能な状態の遊技盤の傾斜角を確認することができない。
【０００５】
本発明は、このような問題を解決するためになされており、その目的とするところは、突起部を有する被測定面であっても、その突起部を回避して、被測定面の正確な傾斜角度を容易に測定することができる傾斜計を提供することにある。
【課題を解決するための手段】
【０００６】
このような目的を達成するために、第１の発明による傾斜計１は、被測定面２３の傾斜角を測定するために、被測定面２３に設けられた突起部３０を回避可能な長さを有している複数の突設部１０，１１を備えたことを特徴とする。
【０００７】
本発明によれば、被測定面２３に突起部３０があっても、傾斜計１の複数の突設部１０，１１が前記突起部３０を避けて直接被測定面２３に当接することができるので、被測定面２３の傾斜角を正確に測定することができる。
【０００８】
第２の発明による遊技機は、第１の発明に記載の傾斜計において、突設部１０，１１の少なくとも１つが、被測定面２３と平行して対向する傾斜計本体の対向面３上を移動可能に設けられていることを特徴とする。
【０００９】
本発明によれば、第１の発明による傾斜計１の一部の突設部１０，１１が、被測定面２３の突起部３０を避けることができない場合であっても、被測定面２３と平行して対向する傾斜計本体の対向面３上を、その突設部１０，１１が移動することによって、被測定面２３の突起部３０の無い場所を選ぶことができるので、全ての突設部１０，１１が被測定面２３に当接して、被測定面２３の傾斜角を正確に測定することができる。
【００１０】
第３の発明による傾斜計１は、第１または第２の発明による傾斜計において、傾斜計１の底部に傾斜計１を支持可能な脚部１５が設けられていることを特徴とする。
【００１１】
本発明によれば、その脚部１５によって傾斜計１を被測定面２３の手前側に設置して、被測定面２３に傾斜計１の突設部１０，１１を当接させることができる。従って、あらかじめ、被測定面２３が調整されるべき傾斜角に傾斜計１を固定してから、傾斜計１の全ての突設部１０，１１が当接するように被測定面２３を移動調整すれば、被測定面２３を傾斜計１の傾斜角と同じ傾斜角に調整することができる。
【００１２】
第４の発明による傾斜計１は、第１乃至第３の発明による傾斜計において、傾斜計１の上部に傾斜計１を支持可能な吊り下げ部１５が設けられていることを特徴とする。
【００１３】
本発明によれば、その吊り下げ部１５によって傾斜計１を被測定面２３の手前側に吊り下げ設置して、被測定面２３に傾斜計１の突設部１０，１１を当接させることができる。従って、あらかじめ、被測定面２３が調整されるべき傾斜角に傾斜計１を固定してから、傾斜計１の全ての突設部１０，１１が当接するように被測定面２３を移動調整すれば、被測定面２３を傾斜計１の傾斜角と同じ傾斜角に調整することができる。
【００１４】
第５の発明による傾斜計１は、第１乃至第４の発明による傾斜計において、被測定面２３に当接する傾斜計の突設部１０，１１には、被測定面２３に設けられた突起部３０を収容可能な凹部１３，１４が設けられていることを特徴とする。
【００１５】
本発明によれば、傾斜計１の突設部１０，１１が被測定面２３の突起部３０を避けることができない場合であっても、被測定面２３に当接する傾斜計１の突設部１０，１１の先端部分の凹部１３，１４が、その突起部３０を収容して、前記凹部１３，１４の周縁部で被測定面２３に当接し、傾斜計１を突起部３０によって被測定面２３に固定することができるので、被測定面２３の傾斜角を正確に測定することができる。
【００１６】
第６の発明による傾斜計１は、第１乃至第５の発明による傾斜計において、被測定面２３が弾球遊技機の遊技盤面２３であることを特徴とする。
【発明の効果】
【００１７】
本発明によれば、弾球遊技機の遊技盤面の遊技部材を避けて、傾斜計の突設部を遊技盤面に当接することができるので、遊技盤面の傾斜角を正確に測定することができる。
【００１８】
さらに、本発明による傾斜計によれば、突起部を有する被測定面であっても、その突起部を回避して、被測定面の正確な傾斜角度を容易に測定することができるようになった。
【発明を実施するための最良の形態】
【００１９】
以下、本発明の一実施形態について説明する。なお、本実施形態は本発明の一例にすぎずなんらこれに限定解釈されるものではなく、本発明の範囲内で設計変更可能である。
【００２０】
本発明は、突起部を有した被測定物の傾斜角を測定する傾斜計であって、例えば弾球遊技機例えばパチンコ遊技機の遊技盤の傾斜角を測定する場合に好適である。そこで、以下に本発明による傾斜計でパチンコ遊技機の遊技盤の傾斜角を測定する場合について説明する。
【実施例１】
【００２１】
パチンコ遊技機は、図１に示すように、外枠２１の前面に内枠２２が回動自在に軸支され、該内枠２２の背後には可変表示手段２７が嵌装されていると共に、該内枠２２の前面には、遊技盤ベース２６に種々の遊技部材３０を備えて構成されている遊技盤２３が着脱自在に装着されている。また、前記内枠２２の前面左側には、ガラス板２４を嵌めたフロント扉２５が回動自在に軸支されている。
従って、この遊技盤２３の傾斜角を測定するには、遊技盤２３の表面（以下、本実施例における被測定面をいう。）に突状に備えられている遊技部材３０（以下、本実施例における突起部をいう。）を回避する必要があり、本実施例の傾斜計は以下に詳述する特有の構成を有することでこのような問題を解決している。
【００２２】
ここで遊技部材３０とは、パチンコ遊技機において遊技に必要な全ての部材を言い、例えば、遊技領域Ａを区画すると共に、該遊技領域に発射ソレノイドから打ち出される遊技球を導くガイドレール３１、前記表示手段２７の変動表示を起動すると共に、大当たりとするか否かの抽選処理を起動するチューリップ式の普通電動役物からなる始動入賞口３２、大当たり時に開放するアタッカと称する特別電動役物の大入賞口３３、一般入賞口となる左右の入賞口３４、遊技領域での入賞を逃したアウト球を排出するアウト口３５、遊技盤ベース２６に打たれている多数の遊技釘３６などが一例として挙げられる。
【００２３】
図２は、本発明による傾斜計１の一例である。
傾斜計１の本体１ａは、被測定面２３と平行して対向する対向面３を有する箱型の測定部であって、図中矢印方向（ａ１）の傾斜計本体１ａの傾斜角を測定する。そして、少なくとも一面には、測定した傾斜角を表示する表示部２を有している。
さらに、傾斜計１は、前記対向面３上に夫々同じ長さを有する突設部１０，１１を有し、その長さは、少なくとも遊技盤２３の盤面上の突起部である遊技釘３６よりも十分に長いことを要する。例えば、遊技釘３６の露出部が１６．８ｍｍである場合には、他の遊技部材を回避することも考慮して、１２０ｍｍ程度が妥当である。
突設部１０，１１は、本実施例では角柱状であるが、特にこれに限定されず、夫々前記長さを有していればどのような形状でもよい。
なお、本実施例では突設部の数は２本であるが、必要に応じて突設部の本数を増加することは設計変更の範囲内である。
【００２４】
図３は、上記傾斜計１によって、遊技盤２３の傾斜角を測定する方法を説明する。
【００２５】
このような、遊技釘３６が多数配された遊技盤２３において、まず、遊技釘３６の無い部分２３ａと２３ｂを選択し、突設部１０と１１を遊技盤２３に当接させる。このとき、突設部１０と１１との間に遊技釘３６が配されていたとしても、釘を回避して突設部１０と１１を遊技盤２３に当接できるため、突設部１０と１１との間の遊技釘３６は障害とはならず、突設部１０、１１は同時に遊技盤２３に当接される。
従って、傾斜計１の本体が遊技盤２３の傾斜角と同じ傾斜角となり、本体の表示部２には遊技盤２３の傾斜角が表示される。
遊技盤２３の傾斜角を調整する場合には、調整作業の最後に、上記遊技盤２３の傾斜角の測定を行い、適正な傾斜角に調整されたか否かを確認する。
【００２６】
図４は、本発明による傾斜計１の他の一例であって、被測定面２３の側から前記傾斜計１の対向面３を見た図である。
前記突設部１０，１１のうち、一方の突設部１０が、前記対向面３の面上を移動可能に配設されている場合を示す。突設部１０を対向面３の面上を移動可能にする構成は、移動の前後において、突設部１０が対向面３の面上の設置角度が変化しないように設置されれば、いかなる構成であってもよい。例えば、対向面３の面上に溝を配し、その溝を突設部１０が移動してもよいし、または、突設部１０を傾斜計１の本体から分離可能にし、かつ、対向面３を磁性体で構成することによって、突設部１０を対向面３上の任意の場所に吸着可能にしてもよい。
【００２７】
このような構成による傾斜計１を使用すれば、傾斜計１の突設部１０，１１が遊技釘３６等を回避することができない場合であっても、突設部１０，１１を遊技盤２３に当接することが可能である。そのような場合の測定方法を以下に説明する。
【００２８】
まず、遊技盤２３の盤面上において、遊技釘３６の無い第１の部分２３ｂに突設部１１を当接させる。次に、遊技釘３６の無い第２の部分２３ａに合わせて、突設部１０を傾斜計１の対向面３上で移動させ、その第２の部分２３ａに突設部１０を当接させる。
突設部１０を傾斜計１の対向面３上を移動させることによって、突設部１０,１１が同時に遊技盤２３に当接可能となる。従って、傾斜計の本体１ａが遊技盤２３の傾斜角と同じ傾斜角となり、本体の表示部２には遊技盤２３の傾斜角が表示される。
【００２９】
遊技盤２３の傾斜角を調整する場合には、調整作業の最後に、上記遊技盤２３の傾斜角の測定を行い、適正な傾斜角に調整されたか否かを確認する。
【００３０】
図５は、本発明による傾斜計１の他の一例であって、被測定面２３の側から前記傾斜計１の対向面３を見た図である。
本実施例による傾斜計１は、傾斜計の本体１ａと、その傾斜計の本体１ａの対向面３に回動可能に配した回動部材１２と、その回動部材１２の面上に設けた突設部１０及び１１からなる。
回動部材１２は、その長手方向の中心を対向面３に軸支し、該軸支部分１２ａを中心に対向面３に沿って左右方向に回動可能に配置されている（矢印ａ２参照）。
前記突設部１０及び１１は、夫々、回動部材１２上に固定させても良いが、突設部１０と１１の少なくとも一方を回動部材１２の面上で矢印ｂ方向に移動可能に配設させても良い。
【００３１】
このような構成において、遊技盤２３の傾斜角を測定する場合には、まず、遊技釘３６が多数配設された遊技盤２３の盤面上において、遊技釘３６の無い第１の部分２３ｂに突設部１１を当接させる。次に、遊技釘３６の無い第２の部分２３ａに合わせて、回動部材１２を所定方向に回動させ、さらに、突設部１０を所定方向に移動させることによって、突設部１０をその第２の部分２３ａに当接させる。
回動部材１２の回動と突設部１０の移動によって、突設部１０,１１が同時に遊技盤２３に当接可能となる。従って、傾斜計の本体１ａが遊技盤２３の傾斜角と同じ傾斜角となり、本体の表示部２には遊技盤２３の傾斜角が表示される。
そして、遊技盤２３の傾斜角を調整する場合には、調整作業の最後に、上記遊技盤２３の傾斜角の測定を行い、適正な傾斜角に調整されたか否かを確認する。
【００３２】
図６は、本発明による傾斜計１の他の一例であって、前記突設部１０，１１の被測定面２３に当接する部分に凹部１３，１４が設けられている。
その凹部１３，１４は、遊技盤２３の盤面上の突起部である遊技釘３６を収容するに十分な広さと深さを有している。
さらに、突設部１０は、図４及び図５に示すように移動可能な各構成を設けてもよい。
【００３３】
このような構成によれば、前述の各測定方法で遊技盤２３の傾斜角を測定する作業においても、突設部１０および１１が遊技釘３６を回避することができない場合にも対処可能である。そのような場合の測定方法を以下に説明する。
【００３４】
遊技釘３６が多数配された遊技盤２３において、突設部１１の凹部１４が、遊技盤２３の第１の部分２３ｄに配された遊技釘３６ｂを内包し、さらに、突設部１０の凹部１３が、遊技盤２３の第２の部分２３ｃに配された遊技釘３６ａを内包させて、突設部１０と１１を遊技盤２３に同時に当接する。
従って、傾斜計の本体１ａが遊技盤２３の傾斜角と同じ傾斜角となり、本体の表示部２には遊技盤２３の傾斜角が表示される。
【００３５】
そして、傾斜計１の突設部１０と１１の凹部１３，１４が、夫々、選択した遊技釘３６が内包されるように、遊技釘３６に突設部１０，１１を被せ、突設部１０，１１が遊技盤２３に押し付けて当接させる。
突設部１０、１１の遊技盤２３への当接が完了すると、遊技釘３６が凹部１３，１４の内壁の上面に当接して傾斜計１を支持するので、傾斜計１が安定して固定される。
突設部１０および１１は夫々同じ長さであるので、傾斜計１の傾斜角は遊技盤２３の傾斜角と同じ傾斜角となり、本体の表示部２には遊技盤２３の傾斜角が表示される。遊技盤２３の傾斜角を調整する場合には、調整作業の最後に、上記遊技盤２３の傾斜角の測定を行い、適正な傾斜角に調整されたか否かを確認する。
【実施例２】
【００３６】
本実施例は、本発明による傾斜計１をあらかじめ所望の傾斜角に固定しておき、遊技盤２３を傾斜計１の傾斜角に合わせて調整する方法を説明する。
【００３７】
本実施例による傾斜計１は、図７に示すように、傾斜計１の底部が脚部１５により、旋回、揺動、回転可能に支持されており、脚部１５は、支持部材、例えば三脚１６に固定されている。脚部１５には、傾斜計１を所望の傾斜角に固定するための固定機構が設けられており、固定機構は、傾斜計１を固定可能であればよく、例えばネジを締めこむことによって傾斜計１が固定されてもよく、または、スナップによって傾斜計１を締め付けるものであってもよい。
さらに、傾斜計１の突設部１０は、少なくとも上下方向に移動可能であって、前述の実施例１で説明した、突設部１０が傾斜計１の対向面３上を移動する構成であってもよい。
【００３８】
このような構成において、まず、遊技盤２３の手前側に傾斜計１を設置し、脚部１５の固定機構により、あらかじめ、傾斜計１の表示部２の表示を確認しながら、遊技盤２３が調整されるべき傾斜角に傾斜計１を固定する。
次に、傾斜計１の一方の突設部、例えば下側の突設部１１を遊技盤２３に当接させ、他側の突設部、例えば上側の突設部１０と遊技盤２３との隙間を確認する。
突設部１０と遊技盤２３に隙間がある場合には、その隙間がなくなるまで遊技盤２３の角度を調整する（図中矢印参照。）。
そして、その隙間がなくなって、全ての突設部１０，１１が遊技盤２３に当接したときに、遊技盤２３の傾斜は傾斜計１の傾斜角と等しくなり、遊技盤２３は調整されるべき傾斜角に調整される。
上記では、遊技盤２３が傾きすぎている場合を説明したが、逆に、遊技盤２３が起きすぎていた場合には、先に、上側の突設部１０を遊技盤２３に当接し、下側の突設部１１と遊技盤２３に隙間が生じることとなる。そして、突設部１１と遊技盤２３の隙間がなくなるように遊技盤２３の傾斜角を調整すれば、遊技盤２３は調整されるべき傾斜角に調整される。
【００３９】
また、遊技盤２３と突設部１０または１１との隙間が微少である場合には、突設部１０を上方へ移動させ、突設部１０と突設部１１の距離を離すことによって、その隙間が拡大するので、正確な調整をすることができる。
【００４０】
なお、遊技盤２３に配された遊技部材３０が、突設部１０，１１が遊技盤２３に当接することの障害になる場合には、前述の実施例１で説明したように、傾斜計１に突設部１０が傾斜計１の対向面３上を移動する構成を設ければ、突設部１０，１１は遊技部材３０を回避して遊技盤２３に当接可能となる。
【００４１】
図８は、上記した遊技盤２３を傾斜計１の傾斜角に合わせて調整する方法の他の変形例であって、傾斜計１の上部に傾斜角を固定可能な吊り下げ部１５を設けたものである。
【００４２】
傾斜計１の上部は吊り下げ部１５により、旋回、揺動、回転可能に支持されており、吊り下げ部１５は、吊り下げ部材１７に固定され、吊り下げ部材１７の他端は、傾斜計１の重量を支持可能な面に固定部材１８で固定される。固定部材１８は、例えば吸盤や磁石等によって構成される。
吊り下げ部材１５には、傾斜計１を所望の傾斜角に固定するための固定機構が設けられており、固定機構は、傾斜計１を固定可能であればよく、例えばネジを締めこむことによって傾斜計１が固定されてもよく、または、スナップによって傾斜計１を締め付けるものであってもよい。
さらに、傾斜計１の突設部１０は、少なくとも上下方向に移動可能であって、前述の実施例１で説明した、突設部１０が傾斜計１の対向面３上を移動する構成であってもよい。
【００４３】
このような構成において、まず、遊技盤２３の手前側に傾斜計１を設置し、脚部１５の固定機構により、あらかじめ、傾斜計１の表示部２の表示を確認しながら、遊技盤２３が調整されるべき傾斜角に傾斜計１を固定する。
次に、傾斜計１の一方の突設部、例えば下側の突設部１１を遊技盤２３に当接させ、他側の突設部、例えば上側の突設部１０と遊技盤２３との隙間を確認する。
突設部１０と遊技盤２３に隙間がある場合には、その隙間がなくなるまで遊技盤２３の角度を調整する（図中矢印参照。）。
そして、その隙間がなくなって、全ての突設部１０，１１が遊技盤２３に当接したときに、遊技盤２３の傾斜は傾斜計１の傾斜角と等しくなり、遊技盤２３は調整されるべき傾斜角に調整される。
上記では、遊技盤２３が傾きすぎている場合を説明したが、逆に、遊技盤２３が起きすぎていた場合には、先に、上側の突設部１０を遊技盤２３に当接し、下側の突設部１１と遊技盤２３に隙間が生じることとなる。そして、突設部１１と遊技盤２３の隙間がなくなるように遊技盤２３の傾斜角を調整すれば、遊技盤２３は調整されるべき傾斜角に調整される。
【００４４】
また、遊技盤２３と突設部１０または１１との隙間が微少である場合には、突設部１０を上方へ移動させ、突設部１０と突設部１１の距離を離すことによって、その隙間が拡大するので、正確な調整をすることができる。
【００４５】
なお、遊技盤２３に配された遊技部材３０が、突設部１０，１１が遊技盤２３に当接することの障害になる場合には、前述の実施例１で説明したように、傾斜計１に突設部１０が傾斜計１の対向面３上を移動する構成を設ければ、突設部１０，１１は遊技部材３０を回避して遊技盤２３に当接可能となる。
【図面の簡単な説明】
【００４６】
【図１】パチンコ遊技機の一例を示す概略斜視図。
【図２】本発明による傾斜計の一例を示す説明図。
【図３】本発明による傾斜計によって遊技盤の傾斜角を測定する方法を示す説明図。
【図４】被測定面の側から傾斜計を見た側面図。
【図５】被測定面の側から傾斜計を見た側面図。
【図６】凹部が設けられた突設部の説明図。
【図７】脚部を備えた傾斜計の説明図。
【図８】吊り下げ部を備えた傾斜計の説明図。
【符号の説明】
【００４７】
１  傾斜計
１０，１１  突設部
２３  被測定面
【図１】
2006046969.tif 000003
【図２】
2006046969.tif 000004
【図３】
2006046969.tif 000005
【図４】
2006046969.tif 000006
【図５】
2006046969.tif 000007
【図６】
2006046969.tif 000008
【図７】
2006046969.tif 000009
【図８】
2006046969.tif 000010